(57)【特許請求の範囲】
【請求項１】
着色コンタクトレンズのパターンを生成するための方法において、
ａ）パターンの内側および外側の境界線を定めるステップと、
ｂ）開始角度、移動距離、および変更角度を選択するステップと、
ｃ）開始ストリング、および反復ストリング、ならびに実行される反復回数を選択するステップと、
ｄ）本質的にフラクタルである少なくとも１つのアルゴリズムを用いて、パターンを作製するステップと、
ｅ）前記パターンを備えるコンタクトレンズを生成するステップと、
を含み、
前記内側および外側の境界線が変更されるステップをさらに含み、
この変更されるステップは、前記反復回数を選択するステップと並行して行われ、
この変更は、内側デルタ値、および、外側デルタ値に、０と１との間の乱数をそれぞれ乗じることによって、確率論的に行われ、
前記境界線を定めるステップで定められた、前記内側及び外側の境界線の数値に対して、前記内側デルタ値及び外側デルタ値に、０と１との間の乱数を掛け合わせた値を、加算、または、減算することにより、前記内側及び外側の境界線の開始半径の値がそれぞれ決定される、方法。
【請求項２】
請求項１記載の方法において、
前記少なくとも１つのアルゴリズムは、カオス系、拡散系、凝集系、Ｌシステム、Ｐシステム、セルオートマンなどの１つから導き出される、方法。
【請求項３】
請求項２記載の方法において、
前記アルゴリズムは、Ｌシステムから導き出される、方法。
【請求項４】
請求項３記載の方法において、
前記アルゴリズムは、
Ｒ  ｏｕｔｅｒ  ±  ｄｅｌｔａ  ｏｕｔｅｒ  ＞  Ｐ  ＞  Ｒ  ｉｎｎｅｒ  ±  ｄｅｌｔａ  ｉｎｎｅｒ
によって定められる領域内にパターンＰを生成するように制約された５次のＬシステムである、修正されたＬシステムから導き出され、
ここで、
Ｒ  ｏｕｔｅｒ  ±  ｄｅｌｔａ  ｏｕｔｅｒは円の半径であり、当該半径は、ヒトの虹彩の平均半径に、この半径の小数値を加えるか引くかして得られる数値と実質的に等しく、
Ｒ  ｉｎｎｅｒ  ±  ｄｅｌｔａ  ｉｎｎｅｒは円の半径であり、当該半径は、ヒトの瞳孔の平均半径に、この半径の小数値を加えるか引くかして得られる数値と実質的に等しい、方法。
【請求項５】
請求項２記載の方法において、
前記アルゴリズムは、拡散系から導き出される、方法。
【請求項６】
請求項５記載の方法において、
ａ）ホライゾンの境界線およびサブストレートの境界線を定めるステップと、
ｂ）円の最小半径および最大半径を選択するステップと、
ｃ）前記アルゴリズムを用いて、パターンを作製するステップと、
をさらに含む、方法。
【請求項７】
請求項１記載の方法を用いて生成される、着色コンタクトレンズ。
【請求項８】
請求項２記載の方法を用いて生成される、着色コンタクトレンズ。
【請求項９】
請求項３記載の方法を用いて生成される、着色コンタクトレンズ。
【請求項１０】
請求項４記載の方法を用いて生成される、着色コンタクトレンズ。
【請求項１１】
請求項５記載の方法を用いて生成される、着色コンタクトレンズ。
【請求項１２】
請求項６記載の方法を用いて生成される、着色コンタクトレンズ。
【請求項１３】
請求項１記載の方法において、
境界線に関する条件の違反が生じた場合に、前記境界線内に存在する新規の開始位置を選択するステップを更に含む、方法。
【発明の詳細な説明】
【発明の詳細な説明】
【０００１】
〔発明の分野〕
本発明は、着色コンタクトレンズに関するものである。具体的には、本発明は、一人または複数のレンズ装用者の眼の虹彩、角膜縁リング（limbal ring）および瞳孔の色を強調する、あるいは、変更するようにコンタクトレンズを設計するための方法を提供するものである。
【０００２】
〔発明の背景〕
生来の眼色を変える、または、眼性異常部分を隠す、のいずれか一方または両方を行うために、着色コンタクトレンズ、すなわちカラーのコンタクトレンズを使用することは、周知である。通常、これらのコンタクトレンズは、そのレンズが眼上に装用された場合には、レンズ装用者の眼の虹彩、瞳孔、および角膜縁リングのうち、一つまたは複数の部分を被覆するパターンを、レンズの一部に組み入れている。
【０００３】
パターンを提供する従来の方法では、手書きで、または、コンピュータ・グラフィック・プログラムを用いることによって、パターンが描かれる。あるいは、パターンは、実際の虹彩、瞳孔、または角膜縁リングのうち、一つまたは複数の部分に関するデジタル画像を撮影し、かつ、使用される画像の部分をパターン内に抜き出すことによって、形成されてもよい。これらの方法は、結果的に得られるパターンを組み入れたレンズの生成のための工具の作成、レンズ用金型へのパターンの適用、および、パターン計測（metrology）などのために、パターンを正確に描写することが、パターンの複雑な形態によって、困難であるという点で、不利である。
【０００４】
〔本発明の詳細な記述および好適な実施の形態〕
本発明は、着色コンタクトレンズに使用されるパターンを設計するための方法、当該レンズを製造するための方法、および、パターンを組み入れているレンズであって、パターンが、アルゴリズム（algorithm）を用いて作製される、レンズを提供する。結果的に得られるパターンは、コンタクトレンズに組み入れられると、一人または複数のレンズ装用者の眼の虹彩、瞳孔および角膜縁リングの色を強調する、または変えるのに役立つ。本発明の方法は、パターンを組み入れたレンズの、工具による細工、計測および製造のために、パターンを客観的に描写することを提供するものである。
【０００５】
一つの実施の形態では、本発明は、着色コンタクトレンズにパターンを生成するための方法であって、少なくとも一つのアルゴリズムを用いて、パターンの少なくとも一部を作製するステップを含む、当該ステップから基本的に成る、または、当該ステップから成る、方法を提供するものである。本発明において、「アルゴリズム」とは、一連の点を生成する一連の規則を意味するものであり、限定するものではないが、一つまたは複数の数式を含む。
【０００６】
本発明の方法では、着色コンタクトレンズに有用なパターンの少なくとも一部を作製するために、一つまたは複数のアルゴリズムが使用される。本発明に使用されるアルゴリズムは、本質的に、フラクタルである。適切なアルゴリズムは、限定するものではないが、カオス系（chaotic systems）、拡散系（diffusion systems）、凝集系（aggregation systems）、Ｌシステム、Ｐシステム、および、セルオートマン（cellular automata）などの構造から導き出されてもよい。
【０００７】
一つの例として、アルゴリズムは、一つのＬシステムから導き出される。図１には、このようなアルゴリズムを導き出し、かつ、本発明に従うパターンを生成するためのフロー図が示されている。第１のステップ（１０１）では、パターンの内側および外側の境界線が定められる。両方の境界線は、任意の適切な寸法および形状であってもよい。両方の境界線は、通常、ヒトの瞳孔、虹彩および角膜縁リングのうち、一つまたは複数の平均半径を有する境界線であってよい。内側および外側の境界線は、境界線の対応する開始半径（starting radius）の小数値（small fraction）、内側デルタ値（delta inner）、または、外側デルタ値（delta outer）を加算する、もしくは、減算することによって変更される（１０２）。この変更は、内側デルタ値、または、外側デルタ値に、０と１との間の乱数（random number）を乗じることによって、確率論的に行われてもよく、この結果、境界線がより自然なものになるはずである。各反復ステップにおいて、つまり、線分が描写される各回において、変更がなされて、確率変数（random variable）が選択されてもよい。加えて、開始角度、移動距離、および変更角度が、無作為に選択され（１０３）、これと共に、開始ストリング、反復ストリング、および実行される反復回数が、無作為に選択される（１０４）。その後、アルゴリズムは、パターンを作製するように実行され（１０５）、結果として得られたパターンが容認できるか否かについての決定が行われる（１０６）。仮に、パターンが容認できないものである場合には、パラメータおよび制約の一部または全部を変更した上で、処理が反復される。
【０００８】
より具体的な実施例において、アルゴリズムは、一つのＬシステムから導き出され、境界線に関する条件では、Ｌシステムの記号のグラフィックコマンド（graphical commands）が、従来の化粧用レンズの虹彩パターンによって覆われる領域に実質的に等しい領域の範囲内に限定される。さらに、好ましいことに、確率論的な要素が、このＬシステムに与えられる。より具体的には、５次のＬシステム（5th order L-system）は、二つの円によって定められた一つの領域内に、一つのパターンを生成するように、制約される。換言すれば、パターン（「Ｐ」）は、
R outer ± delta outer < P < R inner ± delta inner
によって定められる一つの領域内に生成される。
ここで、R outer ± delta outerは円の半径であり、当該半径は、ヒトの虹彩の平均半径に、０と１との間の確率変数を乗じた半径の小数値を加えるか引くかして得られる数値と実質的に等しい。また、R inner ± delta innerは円の半径であり、当該半径は、ヒトの瞳孔の平均半径に、０と１との間の確率変数を乗じた半径の小数値を加えるか引くかして得られる数値と実質的に等しい。
【０００９】
このシステムに使用されるアルゴリズムは、開始ストリング、すなわち、グラフィックコマンドを表す記号で構成される公理（axiom）から始まる。コマンドは、着色レンズに使用されるパターンを構成する、画素を単位として定められる線分を描写するコンピュータ・コードによって使用される。例えば、公理は、記号「F-F」であってもよく、第１の反復中に、設計者によって無作為に選択された反復ストリングが各「F」に置き換わる。その後に、コードは、新規のストリング内で、コマンドを実行する。第２の反復において、反復ストリングが、先の反復ストリングの各「F」に置き換わり、その後に、コードはこれらのコマンドを実行する。
【００１０】
例えば、仮に、公理「F-F」用の反復ストリングが「F＋F＋」である場合には、第１の反復後、ストリングは「F＋F＋-F＋F＋」である。第２の反復後、ストリングは「F＋F＋＋F＋F＋＋- F＋F＋＋F＋F＋＋」である。後続の反復は、システムの次数によって決定される所定の反復回数が行われてしまうまで、実行される。例えば、５次のＬシステムでは、５回の反復が実行される。使用される次数は、所望のパターンを与える次数を観察することによって決定されるはずである。
【００１１】
図形的な意味は、公理用の記号に関係している。例えば、公理用の記号は、以下の表に示されている。
【表１】
0005535617.tif 000002
【００１２】
上記の表において、移動距離とは、選択された長さである。移動距離の値、すなわち、Ｆ記号が出現する場合に描写される線分の長さ、回転角度、すなわち、「＋」記号あるいは「＆」記号が出現する場合に生じる角度の変化、反復ストリング、および、境界線に関する条件の違反が生じた場合の線分の新規の開始位置は、すべて、設計者によって選択される。これらの値は、レンズに組み入れられた場合に、眼に対して所望の化粧効果を達成するパターンを意味する所望のパターンを生成する値によって決定されるはずである。
【００１３】
第１の線分の開始位置は、内側の円の近傍位置で無作為に選択される。仮に、線分が外側半径±外側デルタ値（R outer ± delta outer）内および内側半径±内側デルタ値（R inner ± delta inner）内で描写され、かつ、線分が外側半径±外側デルタ値（R outer ± delta outer）より大きい、あるいは、内側半径±内側デルタ値（R inner ± delta inner）より小さい場合には、これらの制約内に存在する線分の新規の開始位置が、０と１との間の乱数を乗じた距離で（at a distance times a random number between 0 and 1）、内側半径から無作為に選択されるはずであり、その後に、コードがグラフィックコマンドの実行を継続することになる。仮に、線分が外側半径±外側デルタ値（R outer ± delta outer）内および内側半径±内側デルタ値（R inner ± delta inner）内で描写される場合には、何も変更されないはずである。このような方法のフロー図は、図２に示されている。
【００１４】
図３〜図５は、図１および図２に示された方法によって作製されるパターンの例示である。これらの図について、外側および内側の円は、それぞれ、３５０画素および１５０画素である。図３〜図５に示されているように、内側および外側の円形境界線は漠然としており、つまり、各線分の最終位置が定められた場合に、アルゴリズムが、内側および外側の円形境界線に関して無作為に変化する境界線が越えられたか否かを確認するためのチェックをする。さらに、仮に、当該境界線に関する条件が越えられた場合には、線分の新規の開始位置が無作為に選択されることになるという点で、使用されるアルゴリズムに確率論的性質（stochastic nature）がある。
【００１５】
図３には、化粧用のコンタクトレンズ内のパターンとして使用されるのに適切なパターン１０が示されている。パターン１０は、公理の「F-F」および反復ストリングの「F&F&F&F&F+F+F+F+」を用いた５回の反復後に、作製された。開始角度は水平軸から１８０°であり、移動距離は５画素分であり、回転角度は４５°であり、レンズの周縁部までの距離（rimover distance）は１５０画素分であった。図４は、図３と同一の公理、反復ストリング、開始角度および移動距離を用いているが、回転角を２２．５°とし、かつ、レンズの周縁部までの距離を２００画素分として、５回の反復過程後に作製されたパターン２０を示している。図５のパターン３０は、移動距離を２画素分とした以外は、図３のパターンと同様に作製された。
【００１６】
図３〜図５に示された設計は、線分を描写するために用いられたアルゴリズムの使用結果である。他の例として、アルゴリズムは、拡散等の物理過程に類似したパターンを作製するために使用されてもよい。例えば、パターンは、規定された数の円の作成に着手し（launching）、かつ、各円の位置を確認することによって、展開されてもよい。
【００１７】
図６は、このような過程のフロー図を示している。第１のステップ（２０１）において、円形であることが好ましい、パターンのホライゾン境界線およびサブストレート境界線が定められる。「ホライゾン」とは、円が作成着手される位置を意味する。「サブストレート」とは、作成着手された円が累積される位置を意味する。ホライゾン円およびサブストレート円は、任意の半径を有してもよいが、好ましくは、ホライゾン円は、サブストレート円と同心円状になっており、サブストレート円の半径より大きな半径を有している。ホライゾン境界線およびサブストレート境界線は、これらの境界線に対応するホライゾンまたはサブストレートの開始半径の小数値のうち、無作為に選択された数値を加算する、または、減算することによって、各反復ステップにおいて変えられてもよい（（２０２）。この無作為に選択された小数値は、この変更が結果的に得られるパターンに与える影響を視覚的に点検することによって、決定されるはずである。
【００１８】
本発明の方法のこの実施の形態において、作成着手される円の最少および最多の数を選択する（２０３）ための基準は、所望のパターンを生成するように円の間の領域の範囲が充たされる程度に基づいている。この基準は、円の最少および最多の数を変更した場合に、結果的に得られるパターン上に与える影響を視覚的に点検することによって、決定されるはずである。作成着手された円の最小半径および最大半径を選択するために、同様の基準が使用される（２０４）。その後に、アルゴリズムは、パターンを作製するように実行され（２０５）、パターンが容認できるか否かについての決定が行われる（２０６）。
【００１９】
より具体的には、例示を目的として図７のフロー図に示されているように、アルゴリズムは、複数の小さな円が、無作為の位置および軌道を用いて、円形のホライゾンから作成着手されるように、設定されてもよい（３０１）。各円は、当該円が別の円（３０２）に遭遇するまで、あるいは、ホライゾン半径±ホライゾンのデルタ値（R horizon ± delta horizon）の境界線を越える（３０３）まで、移動できる。仮に、このような別の円に、作成着手された円が接触する場合には、当該作成着手された円が接触点に配され、その後、別の円がこの接触点から作成着手される。仮に、作成着手された円がホライゾン半径±ホライゾンのデルタ値（R horizon ± delta horizon）の境界線を越えて移動する場合には、当該作成着手された円が除去され（３０４）、別の円が作成着手される。または、仮に、作成着手された円がホライゾン半径±ホライゾンのデルタ値（R horizon ± delta horizon）の境界線内に存在する場合には、何も変更されない（３０５）。あるいは、ホライゾン円の半径は、粒子がホライゾン円の半径を超えて移動したか否かについて、疑念が生じた場合に、僅かな量だけ、無作為に変更されてもよい。
【００２０】
作成着手された円が他の円とサブストレート円との間の領域を横切る場合には、背景の粒子に衝突することがある。背景の粒子は、パターンを定めるために使用される円のうち、一つの円の軌道を変更する粒子であり、好ましくは、不可視の粒子である。このような衝突には、円の軌道が、衝突に起因したなんらかの無作為の要因によって変更されることがある点で、融通性がある（elastic）。このような衝突を有する確率は、温度および濃度の変数と同様に作用する変数を使用することによって制御でき、よって拡散係数とみなすことができる。
【００２１】
衝突確率に加えて、設計者は、ホライゾンおよびサブストレートの半径、ならびに、作成着手された円の数およびこれらの円の半径を変更してもよい。図８および図９には、このようなアルゴリズムを用いる実施例が示されている。これらの実施例では、拡散係数は、背景での衝突がないという意味で、無限大であった。
【００２２】
図８には、上述した拡散系のアルゴリズム、ホライゾンの７５０画素分の半径、サブストレートの４５０画素分の半径、および、１画素分の半径をそれぞれ有する１００，０００個の円を用いて作製されたパターン４０が示されている。図９に示されたパターン５０は、拡散系のアルゴリズム、ホライゾンの７５０画素分の半径、サブストレートの５５０画素分の半径、および、１画素分の半径をそれぞれ有するように１００，０００個の作成着手された円を用いて作製された。
【００２３】
本発明の方法を用いることによって、着色コンタクトレンズ用のパターンは、一つまたは複数のアルゴリズムによって定められるように、作成されてもよい。パターンは、一人または複数のレンズ装用者の眼の虹彩、瞳孔および角膜縁リングの色を強調する、または、変えるためのレンズに使用されてもよく、また、パターンの要素は、眼に対して与えられる所望の効果によって決まるように、透明または半透明であってもよい。本発明において、「透明」とは、３８０ｎｍ〜７８０ｎｍの範囲における平均光透過率（％Ｔ）が約６０％Ｔ〜約９９％Ｔ、好ましくは、約６５％Ｔ〜約８５％Ｔとなる色を意味する。「半透明」とは、３８０ｎｍ〜７８０ｎｍの範囲における平均光透過率（％Ｔ）が約０％Ｔ〜約５５％Ｔ、好ましくは、約７％Ｔ〜約５０％Ｔとなる色を意味する。
【００２４】
パターンの要素の色は、互いに実質的に同一、または互いに相補的であってもよく、パターンの要素に選択される色は、レンズ装用者の虹彩の生来の色、および、所望される強調、または所望される色の変更によって決定されるはずである。したがって、要素には、種々の色調および色度のブルー、グリーン、グレイ、ブラウン、ブラック、イエロー、レッド、またはこれらの色の組み合わせが含まれるが、これらに限定されるものではなく、いずれの色であってもよい。角膜縁リングの好適な色には、種々の色調および色度のブラック、ブラウンおよびグレイが含まれるが、これらに限定されるものではない。
【００２５】
パターンの要素は、コンタクトレンズへの使用に適した有機あるいは無機の顔料、またはこれらの顔料の組み合わせから作られてもよい。半透明度は、用いられる顔料と二酸化チタンの一方あるいは両方の濃度を変更することによって制御することができ、量を多くすれば不透明度が高くなる。例示的な有機顔料には、フタロシアニンブルー、フタロシアニングリーン、カルバゾールバイオレット、バットオレンジ１号など、およびこれらの組み合わせが含まれるが、これらに限定されるものではない。有用な無機顔料の例としては、酸化鉄ブラック、酸化鉄ブラウン、酸化鉄イエロー、酸化鉄レッド、二酸化チタンなど、およびこれらの組み合わせが含まれるが、これらに限定されるものではない。これらの顔料に加えて、限定するものではないがジクロロトリアジンおよびビニルスルホン酸系の染料を含む、溶解性および不溶解性の染料も使用されてもよい。有用な染料および顔料は市販されている。
【００２６】
選択された染料または顔料は、本発明のレンズに使用される透明層および半透明層を生成するのに使用される着色剤を形成するために、プレポリマー、結合性ポリマーおよび溶媒のうち、一つまたは複数の物質と組み合わされてもよい。コンタクトレンズ着色剤に有用な他の添加剤が使用されてもよい。本発明の着色層に有用な結合性ポリマー、溶媒および他の添加剤は公知であり、市販されているか、またはこれらを作る方法が公知となっている。
【００２７】
要素は、レンズの一つもしくは複数の表面に塗布され、または、印刷されてもよく、あるいは、要素は、レンズ形成材料が堆積され、かつ、硬化される金型の一つまたは複数の表面上に印刷されてもよい。本発明の設計を組み入れるレンズの好適な成形方法では、任意の適切な材料から作られた熱可塑性の光学金型が使用されており、当該材料には、環状ポリオレフィン類、および、ポリプロピレン樹脂またはポリスチレン樹脂等のポリオレフィン類が含まれるが、これらに限定されるものではない。要素は、成型用表面のうち、所望の部分上に堆積される。「成型用表面」とは、レンズの表面を形成するために使用される金型あるいは金型半体の表面を意味する。好ましくは、堆積は、次のようなパッド印刷法によって実行される。
【００２８】
好ましくは、鋼鉄で作られる金属板、より好ましくは、ステンレス鋼で作られる金属板は、一旦、硬化すると、水不溶性となることが可能なフォトレジスト材料で被覆されている。要素は、選択されるか、または、設計された後に、写真技術等の多くの技術のいずれかを用いて、所望の寸法に縮小され、金属板上の全体に配され、その後、当該フォトレジスト材料が硬化される。
【００２９】
金属板は、その後、水性溶液で洗浄され、結果的に出現する画像は、例えば、約２０μｍ程度の適切な深さまで、金属板に対してエッチング処理される。その後、結合性ポリマー、溶媒および顔料または染料を含有する着色剤が、着色剤を凹みに充填するように、要素上に堆積される。表面上に印刷し、かつ、概ね、約１〜約１０の硬度を変更する際に使用されるのに適した構造を有するシリコンパッドが、金属板上の画像に押し付けられて、着色剤を除去し、着色剤は、その後に、溶媒を蒸発させることによって、僅かに乾燥させられる。その後、パッドは、光学金型の成型用表面に押し付けられる。必要なら、金型は、過剰の溶媒および酸素を除去するために、最大１２時間、脱気処理され、その後、金型はレンズ材料で充填される。その後、相補的な金型半体が、金型組立体を完成させるために使用され、金型組立体は、使用されたレンズ材料を硬化させるのに適した条件に曝される。このような条件は、本発明の属する技術分野において周知であり、選択されたレンズ材料によって決まるはずである。一旦、硬化が完了すると、レンズは、金型組立体から取り外され、レンズは、緩衝性生理食塩水中で平衡化される。
【００３０】
好適な実施の形態では、透明のプレポリマー層が使用され、そのプレポリマー層は、パターンを覆い、かつ、レンズの最外表面の全体を形成してもよい。好ましくは、透明のプレポリマー層が、まず、金型の成型用表面に塗布され、着色剤が、その後に、プレポリマー層に塗布される。プレポリマーは、使用された顔料および任意の不透明化剤を分散させる能力を有する任意のポリマーであってもよい。
【００３１】
本発明は、任意の公知のレンズ形成用材料、もしくは、レンズ製造に適切な材料で作られた着色ハードコンタクトレンズ、または、着色ソフトコンタクトレンズを提供するのに使用されてもよい。好適には、本発明のレンズは、ソフトコンタクトレンズであり、レンズを形成するために選択される材料は、ソフトコンタクトレンズを生成するのに適した任意の材料である。本発明の方法を用いて、ソフトコンタクトレンズを形成するのに適した好適の材料には、シリコーンエラストマー、参照によってその全てが本明細書に組み込まれる米国特許第5,371,147号明細書、同第5,314,960号明細書、および同第5,057,578号明細書に開示された材料を含むシリコーン含有マクロマー類、ヒドロゲル類、シリコーン含有ヒドロゲル類など、およびこれらの組み合わせが含まれるが、これらに限定されるものではない。より好ましくは、レンズは、シロキサン官能性（siloxane functionality）を含有する材料で作られ、この材料は限定するものではないが、ポリジメチルシロキサンマクロマー類、メタクリロキシプロピルポリアルキルシロキサン類、およびこれらの混合物、シリコーンヒドロゲルすなわちヒドロキシ基、カルボキシル基、またはそれらの両方を含有するモノマー類で作られるヒドロゲル、およびこれらの組み合わせを含む、。ソフトコンタクトレンズを作るための材料は、周知であり、市販されている。好適には、レンズ材料は、アクアフィルコン（acquafilcon）、エタフィルコン（etafilcon）、ゲンフィルコン（genfilcon）、レンフィルコン（lenefilcon）、バラフィルコン（balafilcon）、ロトラフィルコン（lotrafilcon）、あるいはガリフィルコン（galyfilcon）である。
【００３２】
〔実施の態様〕
（１）着色コンタクトレンズのパターンを生成するための方法において、
少なくとも一つのアルゴリズムを用いて、パターンの少なくとも一部を作製するステップ、
を含む、方法。
（２）実施態様（１）記載の方法において、
前記アルゴリズムは、本質的に、フラクタルである、方法。
（３）実施態様（２）記載の方法において、
前記アルゴリズムは、カオス系、拡散系、凝集系、Ｌシステム、Ｐシステム、セルオートマンなどから導き出される、方法。
（４）実施態様（３）記載の方法において、
前記アルゴリズムは、Ｌシステムから導き出される、方法。
（５）実施態様（４）記載の方法において、
ａ）パターンの内側および外側の境界線を定めるステップと、
ｂ）開始角度、移動距離、および変更角度を選択するステップと、
ｃ）開始ストリング、および反復ストリング、ならびに実行される反復回数を選択するステップと、
ｄ）前記アルゴリズムを用いて、パターンを作製するステップと、
をさらに含む、方法。
（６）実施態様（４）記載の方法において、
前記アルゴリズムは、
R outer ± delta outer < P < R inner ± delta inner
によって定められる領域内にパターンＰを生成するように制約された５次のＬシステムである、修正されたＬシステムから導き出され、
ここで、
R outer ± delta outerは円の半径であり、当該半径は、ヒトの虹彩の平均半径に、この半径の小数値を加えるか引くかして得られる数値と実質的に等しく、
R inner ± delta innerは円の半径であり、当該半径は、ヒトの瞳孔の平均半径に、この半径の小数値を加えるか引くかして得られる数値と実質的に等しい。方法。
（７）実施態様（５）記載の方法において、
前記アルゴリズムは、
R outer ± delta outer < P < R inner ± delta inner
によって定められる領域内にパターンＰを生成するように制約された５次のＬシステムである、修正されたＬシステムから導き出され、
ここで、
R outer ± delta outerは円の半径であり、当該半径は、ヒトの虹彩の平均半径に、この半径の小数値を加えるか引くかして得られる数値と実質的に等しく、
R inner ± delta innerは円の半径であり、当該半径は、ヒトの瞳孔の平均半径に、この半径の小数値を加えるか引くかして得られる数値と実質的に等しい、方法。
（８）実施態様（３）記載の方法において、
前記アルゴリズムは、拡散系から導き出される、方法。
（９）実施態様（８）記載の方法において、
ａ）ホライゾンの境界線およびサブストレートの境界線を定めるステップと、
ｂ）円の最小半径および最大半径を選択するステップと、
ｃ）前記アルゴリズムを用いて、パターンを作製するステップと、
をさらに含む、方法。
（１０）着色コンタクトレンズ用のパターンにおいて、
実施態様（１）記載の方法を用いて生成される、着色コンタクトレンズ用のパターン。
【００３３】
（１１）着色コンタクトレンズ用のパターンにおいて、
実施態様（２）記載の前記方法を用いて生成される、着色コンタクトレンズ用のパターン。
（１２）着色コンタクトレンズ用のパターンにおいて、
実施態様（３）記載の前記方法を用いて生成される、着色コンタクトレンズ用のパターン。
（１３）着色コンタクトレンズ用のパターンにおいて、
実施態様（４）記載の前記方法を用いて生成される、着色コンタクトレンズ用のパターン。
（１４）着色コンタクトレンズ用のパターンにおいて、
実施態様（５）記載の前記方法を用いて生成される、着色コンタクトレンズ用のパターン。
（１５）着色コンタクトレンズ用のパターンにおいて、
実施態様（６）記載の前記方法を用いて生成される、着色コンタクトレンズ用のパターン。
（１６）着色コンタクトレンズ用のパターンにおいて、
実施態様（７）記載の前記方法を用いて生成される、着色コンタクトレンズ用のパターン。
（１７）着色コンタクトレンズ用のパターンにおいて、
実施態様（８）記載の前記方法を用いて生成される、着色コンタクトレンズ用のパターン。
（１８）着色コンタクトレンズ用のパターンにおいて、
実施態様（９）記載の前記方法を用いて生成される、着色コンタクトレンズ用のパターン。
【図面の簡単な説明】
【００３４】
【図１】本発明の方法を示すフロー図である。
【図２】本発明の第２の方法を示すフロー図である。
【図３】本発明の方法に従って生成されたパターンを示す図である。
【図４】本発明の方法に従って生成された第２のパターンを示す図である。
【図５】本発明の方法に従って生成された第３のパターンを示す図である。
【図６】本発明の第３の方法を示すフロー図である。
【図７】本発明の第４の方法を示すフロー図である。
【図８】本発明の方法に従って生成された第４のパターンを示す図である。
【図９】本発明の方法に従って生成された第５のパターンを示す図である。
【図１】
0005535617.tif 000003
【図２】
0005535617.tif 000004
【図３】
0005535617.tif 000005
【図４】
0005535617.tif 000006
【図５】
0005535617.tif 000007
【図６】
0005535617.tif 000008
【図７】
0005535617.tif 000009
【図８】
0005535617.tif 000010
【図９】
0005535617.tif 000011